(57)【特許請求の範囲】
【請求項１】
時系列に沿って連続的に生成された複数の２次元画像または３次元画像で構成される動画を表示する表示部と、
前記表示部が表示する前記動画内で動きを追尾する被写体を設定する被写体設定部と、
生成順が隣接する２つの前記２次元画像または前記３次元画像に基づいて、前記被写体設定部が設定した前記被写体の移動を検出する移動検出部と、
前記表示部が前記３次元画像を表示している場合において、前記移動検出部が前記被写体の移動を検出したとき、前記被写体のみを前記表示部の表示画面と直交する方向へ仮想的に飛び出させた前記３次元画像の前記動画を前記表示部に表示させる表示制御部と、
を備えたことを特徴とする表示装置。
【請求項２】
前記被写体を異なる位置から撮影し、互いの視野の左右方向の一端部同士が重なりを有する２つの画像データを連続的に生成する撮像部をさらに備え、
前記表示制御部は、前記撮像部が生成した前記２つの画像データを、前記表示画面における水平方向の１画素毎に交互に並べて前記表示部に出力することによって前記３次元画像を前記表示部に表示させることを特徴とする請求項１に記載の表示装置。
【請求項３】
前記被写体を撮影し、該被写体の画像データを連続的に生成する撮像部と、
前記撮像部が生成した前記画像データを一時的に記憶する仮記憶部と、
をさらに備え、
前記表示制御部は、前記仮記憶部が記憶し、時系列に沿って隣接する２つの前記画像データを、前記表示画面における水平方向の１画素毎に交互に並べて前記表示部に出力することによって前記３次元画像を前記表示部に表示させることを特徴とする請求項１に記載の表示装置。
【請求項４】
前記表示画面上に設けられ、外部からの物体の接触位置に応じた信号の入力を受け付けるタッチパネルをさらに備え、
前記被写体設定部は、前記表示部が表示する前記動画中に含まれ、前記タッチパネルが入力を受け付けた信号によって指定された被写体を設定することを特徴とする請求項１〜３のいずれか一つに記載の表示装置。
【請求項５】
時系列に沿って連続的に生成された複数の２次元画像または３次元画像で構成される動画を表示する表示部を備えた表示装置が実行する表示方法であって、
前記表示部が表示する前記動画内で動きを追尾する被写体を設定する被写体設定ステップと、
生成順が隣接する２つの前記２次元画像または前記３次元画像に基づいて、前記被写体設定ステップで設定した前記被写体の移動を検出する移動検出ステップと、
前記表示部が前記３次元画像を表示している場合において、前記移動検出ステップで前記被写体の移動を検出したとき、前記被写体を前記表示部の表示画面と直交する方向へ仮想的に飛び出させるとともに、背景の視差をなくした前記３次元画像の前記動画を前記表示部に表示させる表示制御ステップと、
を含むことを特徴とする表示方法。
【発明の詳細な説明】
【技術分野】
【０００１】
本発明は、２次元画像または３次元画像を表示する表示装置に関する。
【背景技術】
【０００２】
近年、同一の被写体に対してデジタルステレオカメラを用いて撮影することによって複数の画像データを取得し、この取得した複数の画像データに含まれる被写体の視差を利用することにより、ユーザが立体的に見ることができる３次元画像を表示する表示装置が知られている。
【０００３】
このような表示装置において、表示装置と被写体との距離に応じて、表示モニタが表示する動画を３次元画像（以下、「３Ｄ画像」という）と２次元画像（以下、「２Ｄ画像」という）との間で切換えることができる技術が知られている（特許文献１参照）。この技術では、撮影対象の被写体と表示装置との距離が閾値以下の場合に動画を２Ｄ画像で表示モニタに表示させることにより、被写体画像が２重にぶれて表示されることを防止している。
【先行技術文献】
【特許文献】
【０００４】
【特許文献１】特開２０１０−１６１４９２号公報
【発明の概要】
【発明が解決しようとする課題】
【０００５】
ところで、従来の表示装置では、動画を３Ｄ画像で表示することが可能な場合、ユーザが手動で３Ｄ画像から２Ｄ画像に切換える切換動作を行わない限り常に２Ｄ画像または３Ｄ画像のどちらか一方の画像で動画を表示していた。しかしながら、動きのある被写体、例えば画面内を２〜３秒で横切る被写体の動きだけでは動画による表現が不十分になるため、再生する動画が単調になってしまう場合があった。
【０００６】
本発明は、上記に鑑みてなされたものであって、２Ｄ画像または３Ｄ画像を表示する場合、再生する動画が単調になることを防止することができる表示装置を提供することを目的とする。
【課題を解決するための手段】
【０００７】
上述した課題を解決し、目的を達成するために、本発明にかかる表示装置は、時系列に沿って連続的に生成された複数の２次元画像または３次元画像で構成される動画を表示する表示部と、前記表示部が表示する前記動画内で動きを追尾する被写体を設定する被写体設定部と、生成順が隣接する２つの前記２次元画像または前記３次元画像に基づいて、前記被写体設定部が設定した前記被写体の移動を検出する移動検出部と、前記移動検出部が前記被写体の移動を検出した場合、前記被写体を前記３次元画像によって前記動画を前記表示部に表示させる表示制御部と、を備えたことを特徴とする。
【０００８】
また、本発明にかかる表示装置は、上記発明において、被写体を異なる位置から撮影し、互いの視野の左右方向の一端部同士が重なりを有する２つの画像データを連続的に生成する撮像部をさらに備え、前記表示制御部は、前記撮像部が生成した前記２つの画像データを、前記表示画面における水平方向の１画素毎に交互に並べて前記表示部に出力することによって前記３次元画像を前記表示部に表示させることを特徴とする。
【０００９】
また、本発明にかかる表示装置は、上記発明において、被写体を撮影し、該被写体の画像データを連続的に生成する撮像部と、前記撮像部が生成した前記画像データを一時的に記憶する仮記憶部と、をさらに備え、前記表示制御部は、前記仮記憶部が記憶し、時系列に沿って隣接する２つの前記画像データを、前記表示画面における水平方向の１画素毎に交互に並べて前記表示部に出力することによって前記３次元画像を前記表示部に表示させることを特徴とする。
【００１０】
また、本発明にかかる表示装置は、上記発明において、前記表示画面上に設けられ、外部からの物体の接触位置に応じた信号の入力を受け付けるタッチパネルをさらに備え、前記被写体設定部は、前記表示部が表示する動画中に含まれ、前記タッチパネルが入力を受け付けた信号によって指定された被写体を設定することを特徴とする。
【発明の効果】
【００１１】
本発明にかかる表示装置によれば、表示部が表示する動画に対し、移動検出部が被写体の移動を検出した場合、表示制御部が３Ｄ画像の動画を表示部に表示させるので、再生される動画が単調になることを防止することができるという効果を奏する。
【図面の簡単な説明】
【００１２】
【図１】図１は、本発明の実施の形態１にかかる表示装置の構成を示すブロック図である。
【図２】図２は、本発明の実施の形態１にかかる表示装置が備える表示部の概略構成を示す模式図である。
【図３】図３は、本発明の実施の形態１にかかる表示装置が備える撮像部が互いの視野の左右方向の一端部動作が重なりを有する２つの画像データを生成する際の状況を示す模式図である。
【図４】図４は、図３に示す状況下で撮像部が被写体に対して互いの視野の左右方向の一端部同士が重なりを有する２つの画像データに対応する画像の一例を示す図である。
【図５】図５は、図３に示す状況下で撮像部が生成した右目画像と左目画像とを仮想的に重ねた画像の一例を示す図である。
【図６】図６は、図３に示す状況下で撮像部と被写体との距離と画像中の被写体位置の関係を示す図である。
【図７】図７は、本発明の実施の形態１にかかる表示装置が行う処理の概要を示すフローチャートである。
【図８】図８は、図７に示すスルー画像切換処理の概要を示すフローチャートである。
【図９】図９は、表示部が表示する２Ｄ画像の一例を示す図である。
【図１０】図１０は、ユーザが表示部によって表示される２Ｄ画像に対し被写体を設定する動作を説明する図である。
【図１１】図１１は、表示部が表示する３Ｄ画像に対しユーザが認識する仮想的な３Ｄ画像の一例を示す図である。
【図１２】図１２は、図７に示す再生表示処理の概要を示すフローチャートである。
【図１３】図１３は、本発明の実施の形態２にかかる表示装置の構成を示すブロック図である。
【図１４】図１４は、本発明の実施の形態２にかかる表示装置が動画撮影時に撮像部が連続的に生成する複数の画像データそれぞれに対応する画像を時系列に沿って示した図である。
【図１５】図１５は、本発明の実施の形態２にかかる表示装置が備える表示制御部による３Ｄ画像の表示方法を説明する図である。
【図１６】図１６は、本発明の実施の形態２にかかる表示装置が行うスルー画像切換処理の概要を示すフローチャートである。
【発明を実施するための形態】
【００１３】
以下に、図面を参照して、本発明を実施するための形態（以下、「実施の形態」という）について説明する。なお、以下に説明する実施の形態によって本発明が限定されるものではない。また、図面の記載において、同一の部分には同一の符号を付している。
【００１４】
（実施の形態１）
図１は、本発明の実施の形態１に係る表示装置の構成を示すブロック図である。本実施の形態１では、表示装置１を搭載したデジタルカメラを例に挙げて説明する。図１に示すように、表示装置１は、異なる位置から撮影し、互いの視野の左右方向の一端部同士が重なりを有する２つの画像データを生成する撮像部２と、表示装置１の姿勢を検出する姿勢検出部３と、表示装置１の各種情報の入力を受け付ける操作入力部４と、撮影日時の判定機能やタイマー機能を有する時計５と、３Ｄ画像または２Ｄ画像を表示する表示部６と、外部からの接触位置に応じた信号の入力を受け付けるタッチパネル７と、撮像部２によって生成された画像データを含む各種情報を記憶する記憶部８と、表示装置１の動作を制御する制御部９と、を備える。
【００１５】
撮像部２は、第１撮像部２１と第２撮像部２２とを有する。第１撮像部２１および第２撮像部２２は、互いの光軸Ｌ１，Ｌ２が平行または所定の角度をなすように並設される。
【００１６】
第１撮像部２１は、レンズ部２１ａと、レンズ駆動部２１ｂと、絞り２１ｃと、絞り駆動部２１ｄと、シャッタ２１ｅと、シャッタ駆動部２１ｆと、撮像素子２１ｇと、信号処理部２１ｈとを有する。レンズ部２１ａは、フォーカスレンズやズームレンズ等によって構成され、所定の視野領域からの光を集光する。レンズ駆動部２１ｂは、ＤＣモータ等によって構成され、レンズ部２１ａのフォーカスレンズやズームレンズ等を光軸Ｌ１上で移動させることにより、レンズ部２１ａのピント位置や焦点距離の変更を行う。絞り２１ｃは、レンズ部２１ａが集光した光の入射量を制限することにより露出の調整を行う。絞り駆動部２１ｄは、ステッピングモータ等によって構成され、絞り２１ｃを駆動する。シャッタ２１ｅは、撮像素子２１ｇの状態を露光状態または遮光状態に設定する。シャッタ駆動部２１ｆは、ステッピングモータ等によって構成され、レリーズ信号に応じてシャッタ２１ｅを駆動する。撮像素子２１ｇは、レンズ部２１ａが集光した光を受光して電気信号（アナログ信号）に変換するＣＣＤ（Charge  Coupled  Device）やＣＭＯＳ（Complementary  Metal  Oxide  Semiconductor）等によって実現され、変換した電気信号を信号処理部２１ｈに出力する。信号処理部２１ｈは、撮像素子２１ｇから出力される電気信号に増幅等の信号処理を施した後、Ａ／Ｄ変換を行うことによってデジタルの画像データに変換して制御部９に出力する。
【００１７】
第２撮像部２２は、第１撮像部２１と同一の構成によって実現され、レンズ部２２ａと、レンズ駆動部２２ｂと、絞り２２ｃと、絞り駆動部２２ｄと、シャッタ２２ｅと、シャッタ駆動部２２ｆと、撮像素子２２ｇと、信号処理部２２ｈとを有する。
【００１８】
姿勢検出部３は、加速度センサによって構成され、表示装置１の加速度を検出することにより、表示装置１の姿勢状態を検出する。具体的には、姿勢検出部３は、水平面を基準としたときの表示装置１の姿勢を検出する。
【００１９】
操作入力部４は、表示装置１の電源状態をオン状態またはオフ状態に切換える電源スイッチ４１と、静止画撮影の指示を与えるレリーズ信号を入力するレリーズスイッチ４２と、表示装置１の各種撮影モードや各種設定を切換える切換スイッチ４３と、撮像部２のズーム操作を行うズームスイッチ４４とを有する。
【００２０】
時計５は、表示装置１の動作の基準となる時間信号を生成する。これにより、制御部９は、画像データの取得時間や撮像素子２１ｇ，２２ｇの露光時間等を設定することができる。
【００２１】
図２は、表示部６の概略構成を示す模式図である。図２に示すように、表示部６は、バックライト６１と、表示パネル６２と、視差バリア６３とを有する。バックライト６１は、ＬＥＤ（Light  Emitting  Diode）等によって構成され、画像を表示するための光を背面から照射する。表示パネル６２は、液晶または有機ＥＬ（Electro  Luminescence）等の表示パネルによって構成される。視差バリア６３は、液晶等によって構成され、表示パネル６２の上面に積層される。視差バリア６３は、表示パネル６２の各画素の間隔よりも狭い間隔でスリットが設けられ、ユーザの右目Ｏ１と左目Ｏ２とにそれぞれ対応した画像を分離する。また、本実施の形態では、視差バリア６３は、パララックバリア方式が適用される。なお、本実施の形態では、レンティキュラレンズを積層したレンズシートを視差バリア６３に換えて表示パネル６２の上面に積層するようにしてもよい。
【００２２】
以上の構成を有する表示部６は、制御部９から３Ｄ画像データが入力された場合、制御部９の制御のもと表示パネル６２が左端の画素から水平方向に右目画像と左目画像との順で交互に表示し、視差バリア６３が表示パネル６２の各画素から出た光を分離する。このため、右目画像が右目Ｏ１のみ、左目画像が左目Ｏ２のみにそれぞれ届く。これにより、ユーザは、表示部６が表示する３Ｄ画像を仮想的に立体視することができる。また、表示部６は、表示態様を３Ｄ画像から２Ｄ画像に切換える場合、視差バリア６３に印加される電圧がオン状態からオフ状態になることによって、視差バリア６３が遮光状態から透過状態になり、右目画像または左目画像のどちらか一方が表示パネル６２に出力されることで２Ｄ画像を表示することができる。
【００２３】
タッチパネル７は、表示部６の表示画面上に重ねて設けられる。タッチパネル７は、ユーザが表示部６で表示される情報に基づいて接触（タッチ）した位置を検出し、この接触位置に応じた操作信号の入力を受け付ける。一般に、タッチパネルとしては、抵抗膜方式、静電容量方式、光学式等がある。本実施の形態では、いずれの方式のタッチパネルであっても適用可能である。なお、本実施の形態１では、タッチパネル７が入力部として機能する。
【００２４】
記憶部８は、撮像部２が撮影した画像データを記憶する画像データ記憶部８１と、表示装置１が実行する各種プログラムを記憶するプログラム記憶部８２と、撮像部２が撮影した画像データおよび表示装置１の各種設定を一時的に記憶する仮画像データ記憶部８３と、ユーザによって設定された被写体に関する特徴情報を記憶する特徴情報記憶部８４とを有する。記憶部８は、表示装置１の内部に固定的に設けられるフラッシュメモリ、ＲＡＭ（Random  Access  Memory）およびＲＯＭ（Read  Only  Memory）等の半導体メモリを用いて実現される。なお、記憶部８に対し、外部から装着されるメモリカード等の記憶媒体に対して情報を記憶する一方、記憶媒体が記憶する情報を読み出す記録媒体インターフェースとしての機能を具備させてもよい。ここで、特徴情報とは、被写体の目や鼻等の各顔パーツの位置情報を含む情報である。また、特徴情報記憶部８４は、被写体として犬や猫等の動物に関する特徴情報を記憶してもよい。
【００２５】
制御部９は、ＣＰＵ（Central  Processing  Unit）等によって実現される。制御部９は、操作入力部４からの操作信号等に応じて記憶部８のプログラム記憶部８２からプログラムを読み出して実行し、表示装置１を構成する各部に対する指示やデータの転送等を行って表示装置１の動作を統括的に制御する。制御部９は、画像処理部９１と、立体画像生成部９２と、被写体設定部９３と、移動検出部９４と、表示制御部９５とを有する。
【００２６】
画像処理部９１は、信号処理部２１ｈ，２２ｈからそれぞれ出力された左目画像データおよび右目画像データに対して各種の画像処理を施して記憶部８の画像データ記憶部８１に出力する。具体的には、画像処理部９１は、信号処理部２１ｈ，２２ｈからそれぞれ出力された左目画像データおよび右目画像データに対してエッジ強調、色補正およびγ補正等の処理を施す。
【００２７】
立体画像生成部９２は、画像処理部９１によって画像処理された左目画像データおよび右目画像データそれぞれに対し、所定の縦横比、たとえばアスペクト１６：９で切出すことによって３Ｄ画像を生成する。なお、立体画像生成部９２が左目画像データおよび右目画像データそれぞれから切出す縦横比は、切換スイッチ４３で設定するようにしてもよい。
【００２８】
被写体設定部９３は、表示部６が表示する２Ｄ画像および３Ｄ画像に含まれ、動画中で動きを追尾する被写体を設定する。具体的には、被写体設定部９３は、表示部６が表示する動画中に含まれ、タッチパネル７が入力を受け付けた信号によって指定された被写体を設定する。なお、被写体設定部９３は、顔検出部（図示せず）が顔を検出した被写体を動画中で動きを追尾する被写体として設定するようにしてもよい。
【００２９】
移動検出部９４は、隣接する２つの２Ｄ画像または３Ｄ画像に基づいて、被写体設定部９３が設定した被写体の動きを検出する。具体的には、移動検出部９４は、撮像部２が連続的に生成した隣接する画像間で被写体が動いた方向の移動ベクトルを求めることにより、被写体の動きを検出する。たとえば、移動検出部９４は、撮像部２から随時出力されて仮画像データ記憶部８３に記憶される最新の画像と撮像部２がその時点で生成中の画像との間で被写体の領域に対しパターンマッチング等を行うことにより、被写体の領域における移動ベクトルを算出する。さらに、移動検出部９４は、被写体の動きを精度よく検出するため、被写体の領域内を複数の領域（マクロブロック）毎に分割し、この分割した領域毎に移動ベクトルをそれぞれ算出することにより、被写体の移動ベクトルを検出するようにしてもよい。また、移動検出部９４は、被写体の形状、コントラストおよび色等を組み合わせて被写体の動きを検出してもよい。なお、移動検出部９４は、３Ｄ画像に基づいて、被写体設定部９３が設定した被写体の動きを検出する場合、右目画像または左目画像のどちらか一方の画像を用いればよい。
【００３０】
表示制御部９５は、３Ｄ画像または２Ｄ画像を表示部６に表示させる。具体的には、表示制御部９５は、表示部６に３Ｄ画像を表示させる場合、立体画像生成部９２によって生成された３Ｄ画像の左目画像および右目画像をそれぞれ短冊状に分割し、この分割した画像を表示部６の表示画面における水平方向の１画素毎に交互に並べて３Ｄ画像を表示部６に表示させる。これに対して、表示制御部９５は、表示部６に２Ｄ画像を表示させる場合、表示部６の視差バリア６３のスリットを遮光状態から透過状態にするため、視差バリア６３に印加する電源をオン状態からオフ状態にするとともに、左目画像または右目画像どちらか一方のみを表示部６に表示させる。さらに、表示制御部９５は、移動検出部９４の検出結果に応じて表示部６に３Ｄ画像または２Ｄ画像を表示させる。具体的には、表示制御部９５は、移動検出部９４が被写体設定部９３によって設定された被写体の動作を検出した場合、被写体を表示部６の表示画面と直交する方向へ仮想的に飛び出させた３Ｄ画像によって動画を表示部６に表示させる。
【００３１】
以上の構成を有する表示装置１において、撮像部２が互いの視野の左右方向の一端部同士が重なりを有する２つの画像データを生成する際の状況について説明する。図３は、撮像部２が、互いの視野の左右方向の一端部同士が重なりを有する２つの画像データを生成する際の状況を示す模式図である。図４は、図３に示す状況下で撮像部２が生成する２つの画像データそれぞれに対応する２つの画像の一例を示す図である。図４において、画像ＷＲ１が、立体画像生成部９２が第１撮像部２１によって生成された右目画像データに対応する画像から切出して生成した右目画像であり、画像ＷＬ１が、立体画像生成部９２が第２撮像部２２によって生成された左目画像データに対応する画像から切出して生成した左目画像である。図５は、図３に示す状況下で立体画像生成部９２が生成した右目画像と左目画像とを仮想的に重ねた画像の一例を示す図である。図６は、図３に示す状況下で撮像部２と被写体との距離と画像中の被写体位置の関係を示す図である。図６では、横軸が左端を原点としたときの画像Ｗ１内の被写体位置であり、縦軸が撮像部２と被写体との距離である。なお、図４および図５において、破線および一点鎖線は、第１撮像部２１および第２撮像部２２がそれぞれ生成する画像データに対応する画像領域を示す。
【００３２】
図３に示すように、撮像部２は、撮像部２からの距離が異なる被写体Ａ１（距離ｄ１）および被写体Ａ２（距離ｄ２）に対して、距離（基線長）Ｂ１離れて並設された第１撮像部２１および第２撮像部２２で撮影することにより、右目画像データと左目画像データとを生成する。その後、立体画像生成部９２が、画像処理部９１によって画像処理された右目画像データおよび左目画像データそれぞれを所定の縦横比（アスペクト１６：９）で切出して右目画像ＷＲ１および左目画像ＷＬ１を生成する（図５を参照）。図６に示すように、撮像部２と被写体Ａ２との距離は、撮像部２と被写体Ａ１との距離より大きい。このため、被写体Ａ２の領域がほぼ重なる。これに対して、被写体Ａ１の領域が重ならず、被写体Ａ１に対して視差ａ１を有する。
【００３３】
このように、右目画像ＷＲ１および左目画像ＷＬ１では、撮像部２からの距離が近い被写体（被写体Ａ１）ほど３Ｄ画像内での視差が大きく、撮像部２からの距離が遠い被写体（被写体Ａ２）ほど３Ｄ画像内での視差が小さい。したがって、本実施の形態１では、立体画像生成部９２が被写体に対して視差を持った右目画像ＷＲ１および左目画像ＷＬ１を、右目画像データおよび左目画像データからそれぞれ切出して３Ｄ画像を生成し、表示制御部９５が３Ｄ画像を表示部６に表示させる。これにより、ユーザは、被写体Ａ１が表示部６の表示画面と直交する方向へ仮想的に飛び出した３Ｄ画像を視認することができる。
【００３４】
つぎに、本実施の形態１に係る表示装置１が行う処理について説明する。図７は、表示装置１が行う処理の概要を示すフローチャートである。
【００３５】
図７において、まず、制御部９は、表示装置１の電源がオンになっているか否かを判断する（ステップＳ１０１）。表示装置１の電源がオンになっている場合（ステップＳ１０１：Ｙｅｓ）、表示装置１は後述するステップＳ１０２に移行する。一方、表示装置１の電源がオンになっていない場合（ステップＳ１０１：Ｎｏ）、表示装置１は本処理を終了する。
【００３６】
続いて、制御部９は、表示装置１が撮影モードに設定されているか否かを判断する（ステップＳ１０２）。表示装置１が撮影モードに設定されている場合（ステップＳ１０２：Ｙｅｓ）、表示装置１は後述するステップＳ１０３に移行する。一方、表示装置１が撮影モードに設定されていない場合（ステップＳ１０２：Ｎｏ）、表示装置１は後述するステップＳ１１０に移行する。
【００３７】
ステップＳ１０３において、表示制御部９５は、撮像部２が一定の微小な時間間隔て連続的に生成する右目画像データ若しくは左目画像データのどちらか一方に対応する２Ｄ画像のスルー画像または右目画像データおよび左目画像データを用いた３Ｄ画像のスルー画像を表示部６に表示させる。
【００３８】
続いて、制御部９は、ユーザによってレリーズスイッチ４２が操作されて撮影を指示するレリーズ信号が入力されたか否かを判断する（ステップＳ１０４）。撮影を指示するレリーズ信号が入力されていない場合（ステップＳ１０４：Ｎｏ）、表示装置１は後述するスルー画像の表示態様を切換えるスルー画像切換処理を行う（ステップＳ１０５）。
【００３９】
その後、制御部９は、ユーザによって切換スイッチ４３が操作されて表示装置１の撮影／再生モードの切換操作が行われたか否かを判断する（ステップＳ１０６）。具体的には、制御部９は、ユーザによって切換スイッチ４３が操作されて表示装置１の撮影／再生モードの切換えを指示する切換信号が入力されたか否かを判断する。ユーザによって表示装置１の撮影／再生モードの切換操作が行われていない場合（ステップＳ１０６：Ｎｏ）、表示装置１はステップＳ１０１に戻る。一方、ユーザによって表示装置１の撮影／再生モードの切換操作が行われた場合（ステップＳ１０６：Ｙｅｓ）、制御部９は、ユーザによって切換操作された内容に応じて表示装置１の撮影・再生モードの切換えを行い（ステップＳ１０７）、表示装置１はステップＳ１０１に戻る。
【００４０】
ステップＳ１０４において、ユーザによってレリーズスイッチ４２が操作されて撮影を指示するレリーズ信号が入力された場合（ステップＳ１０４：Ｙｅｓ）について説明する。この場合、表示装置１は、撮影、たとえばレリーズ信号に対応した静止画撮影または動画撮影を行い（ステップＳ１０８）、撮影した画像データを画像データ記憶部８１に記憶し（ステップＳ１０９）、表示装置１はステップＳ１０６に移行する。
【００４１】
ステップＳ１０２において、表示装置１が撮影モードに設定されていない場合（ステップＳ１０２：Ｎｏ）について説明する。この場合、制御部９は、撮影した画像データを再生する再生表示処理を実行し（ステップＳ１１０）、表示装置１はステップＳ１０６に移行する。
【００４２】
つぎに、図７に示したステップＳ１０５のスルー画像切換処理について説明する。図８は、スルー画像切換処理の概要を示すフローチャートである。
【００４３】
図８に示すように、まず、制御部９は、ユーザによって表示部６が表示するスルー画像中で動きを追尾する被写体が設定されているか否かを判断する（ステップＳ２０１）。具体的には、制御部９は、表示部６が表示するスルー画像中で動きを追尾する被写体に関する特徴情報が特徴情報記憶部８４に記憶されているか否かを判断する。ユーザによって表示部６が表示するスルー画像中で動きを追尾する被写体が設定されていない場合（ステップＳ２０１：Ｎｏ）、表示制御部９５は、撮像部２が一定の微小な時間間隔で連続的に生成する右目画像データおよび左目画像データのいずれか一方に対応する２Ｄ画像のスルー画像を表示部６に表示させる（ステップＳ２０２）。具体的には、図９に示すように、表示制御部９５は、２Ｄ画像である画像ＷＬ２を表示部６に表示させる。
【００４４】
続いて、制御部９は、タッチパネル７が入力を受け付けた信号によって被写体設定部９３が被写体を設定したか否かを判断する（ステップＳ２０３）。具体的には、図１０に示すように、制御部９は、ユーザが表示部６によって表示される画像ＷＬ２内の被写体Ａ１にタッチすることにより、タッチパネル７が入力を受け付けた信号によって被写体Ａ１が設定されたか否かを判断する。タッチパネル７が入力を受け付けた信号によって被写体が設定されていない場合（ステップＳ２０３：Ｎｏ）、表示装置１は図７に示したメインルーチンに戻る。一方、タッチパネル７が入力を受け付けた信号によって被写体が設定された場合（ステップＳ２０３：Ｙｅｓ）、制御部９は、タッチパネル７が入力を受け付けた信号によって設定された被写体の特徴を特徴情報記憶部８４に記憶させ（ステップＳ２０４）、表示装置１は図７に示したメインルーチンに戻る。
【００４５】
ステップＳ２０１において、タッチパネル７が受け付けた信号によって表示部６が表示するスルー画像中で動きを追尾する被写体が設定されている場合（ステップＳ２０１：Ｙｅｓ）について説明する。この場合、制御部９は、移動検出部９４がタッチパネル７の受け付けた信号によって設定された被写体の移動を検出したか否かを判断する（ステップＳ２０５）。移動検出部９４がタッチパネル７の受け付けた信号によって設定された被写体の移動を検出した場合（ステップＳ２０５：Ｙｅｓ）、表示制御部９５は、撮像部２が一定の微小な時間間隔で連続的に生成する右目画像データおよび左目画像データを用いることにより、被写体を表示パネル６２と直交する方向へ仮想的に飛び出させた３Ｄ画像のスルー画像を表示部６に表示させる（ステップＳ２０６）。具体的には、図１１に示すように、表示制御部９５は、被写体Ａ１を表示パネル６２と直交する方向へ仮想的に飛び出させた３Ｄ画像ＷＬ３のスルー画像を表示部６に表示させる。なお、図１１においては、表示部６が連続的に表示する複数のスルー画像のうち代表的な３Ｄ画像を示す。
【００４６】
続いて、制御部９は、ユーザによって表示部６が表示するスルー画像を３Ｄ画像から２Ｄ画像に切換える切換操作が行われたか否かを判断する（ステップＳ２０７）。具体的には、制御部９は、ユーザによって切換スイッチ４３が操作されて表示部６が表示するスルー画像を３Ｄ画像から２Ｄ画像に切換えを指示する切換信号が入力されたか否かを判断する。ユーザによって表示部６が表示するスルー画像を３Ｄ画像から２Ｄ画像に切換える切換操作が行われていない場合（ステップＳ２０７：Ｎｏ）、表示装置１は図７に示したメインルーチンに戻る。一方、ユーザによって表示部６が表示するスルー画像を３Ｄ画像から２Ｄ画像に切換える切換操作が行われた場合（ステップＳ２０７：Ｙｅｓ）、表示制御部９５は、撮像部２が一定の微小な時間間隔で連続的に生成する右目画像データまたは左目画像データのどちらか一方に対応する２Ｄ画像のスルー画像を表示部６に表示させ（ステップＳ２０８）、表示装置１は図７に示したメインルーチンに戻る。
【００４７】
ステップＳ２０５において、移動検出部９４がタッチパネル７の受け付けた信号によって設定された被写体の移動を検出していない場合（ステップＳ２０５：Ｎｏ）について説明する。この場合、表示制御部９５は、撮像部２が連続的に生成する右目画像データおよび左目画像データのいずれか一方に対応する２Ｄ画像のスルー画像を表示部６に表示させ（ステップＳ２０９）、表示装置１は図７に示したメインルーチンに戻る。
【００４８】
つぎに、図７に示したステップＳ１１０の再生表示処理について説明する。図１２は、再生表示処理の概要を示すフローチャートである。
【００４９】
図１２において、まず、表示制御部９５は、画像データ記憶部８１に記憶された複数の画像をまとめて表示した画像選択画面を表示部６に表示させる（ステップＳ３０１）。
【００５０】
続いて、制御部９は、ユーザがタッチパネル７を操作することによって、タッチパネル７が受け付けた信号により表示部６が表示する画像選択画面の中から動画が選択されたか否かを判断する（ステップＳ３０２）。タッチパネル７が受け付けた信号により画像選択画面の中から動画が選択された場合（ステップＳ３０２：Ｙｅｓ）、表示装置１は後述するステップＳ３０３に移行する。一方、タッチパネル７が受け付けた信号により画像選択画面の中から動画が選択されていない場合（ステップＳ３０２：Ｎｏ）、表示装置１は後述するステップＳ３１５に移行する。
【００５１】
ステップＳ３０３において、表示制御部９５は、タッチパネル７が受け付けた信号により選択された動画を表示部６に表示させて動画データの再生を開始し、制御部９は、タッチパネル７が受け付けた信号によって表示部６が表示する動画中で動きを追尾する被写体が設定されているか否かを判断する（ステップＳ３０４）。タッチパネル７が受け付けた信号によって表示部６が表示する動画中で動きを追尾する被写体が設定されている場合（ステップＳ３０４：Ｙｅｓ）、表示制御部９５は、タッチパネル７が受け付けた信号によって選択された動画を２Ｄ画像で表示部６に表示させる（ステップＳ３０５）。具体的には、表示制御部９５は、動画データに含まれる右目画像データまたは左目画像データのどちらか一方に対応する動画を表示部６に表示させる。
【００５２】
続いて、制御部９は、タッチパネル７が入力を受け付けた信号によって被写体が設定されたか否かを判断する（ステップＳ３０６）。タッチパネル７が受け付けた信号によって被写体が設定されていない場合（ステップＳ３０６：Ｎｏ）、表示装置１は後述するステップＳ３０８に移行する。一方、タッチパネル７が受け付けた信号によって被写体が設定された場合（ステップＳ３０６：Ｙｅｓ）、制御部９は、タッチパネル７が受け付けた信号によって設定された被写体の特徴を特徴情報記憶部８４に記憶させ（ステップＳ３０７）、表示装置１は後述するステップＳ３０８に移行する。
【００５３】
ステップＳ３０８において、制御部９は、表示部６が表示する一連の動画データが終了したか否かを判断する。一連の動画データが終了していない場合（ステップＳ３０８：Ｎｏ）、表示装置１はステップＳ３０４に戻る。一方、一連の動画データが終了した場合（ステップＳ３０８：Ｙｅｓ）、表示装置１はステップＳ３０９に移行する。
【００５４】
続いて、制御部９は、ユーザによって画像再生の終了操作が行われたか否かを判断する（ステップＳ３０９）。具体的には、制御部９は、ユーザによって切換スイッチ４３が操作されて表示装置１を撮影モードに切換えを指示する切換信号が入力されたか否かを判断する。ユーザによって画像再生の終了操作が行われていない場合（ステップＳ３０９：Ｎｏ）、表示装置１はステップＳ３０１に戻る。一方、ユーザによって画像再生の終了操作が行われた場合（ステップＳ３０９：Ｙｅｓ）、表示装置１は図７に示したメインルーチンに戻る。
【００５５】
ステップＳ３０４において、タッチパネル７が受け付けた信号によって表示部６が表示する動画中で動きを追尾する被写体が設定されていいない場合（ステップＳ３０４：Ｎｏ）について説明する。この場合、制御部９は、移動検出部９４がタッチパネル７の受け付けた信号によって設定された被写体の移動を検出したか否かを判断する（ステップＳ３１０）。移動検出部９４がタッチパネル７の受け付けた信号によって設定された被写体の移動を検出した場合（ステップＳ３１０：Ｙｅｓ）、表示制御部９５は、被写体を表示パネル６２と直交する方向へ仮想的に飛び出させた３Ｄ画像の動画を表示部６に表示させる（ステップＳ３１１）。
【００５６】
続いて、制御部９は、ユーザによって表示部６が表示する動画を３Ｄ画像から２Ｄ画像に切換える切換操作が行われたか否かを判断する（ステップＳ３１２）。ユーザによって切換操作が行われていない場合（ステップＳ３１２：Ｎｏ）、表示装置１はステップＳ３０８に移行する。一方、ユーザによって切換操作が行われた場合（ステップＳ３１２：Ｙｅｓ）、表示制御部９５は、表示部６が表示する動画を３Ｄ画像から２Ｄ画像に切換えて２Ｄ画像の動画を表示部６に表示させ（ステップＳ３１３）、表示装置１はステップＳ３０８に移行する。
【００５７】
ステップＳ３１０において、移動検出部９４がタッチパネル７の受け付けた信号によって設定された被写体の移動を検出していない場合（ステップＳ３１０：Ｎｏ）について説明する。この場合、表示制御部９５は、２Ｄ画像の動画を表示部６に表示させ（ステップＳ３１４）、表示装置１はステップＳ３０８に移行する。
【００５８】
ステップＳ３０２において、ユーザがタッチパネル７を操作することによって表示部６が表示する画像選択画面の中から動画が選択されていない場合（ステップＳ３０２：Ｎｏ）について説明する。この場合、制御部９は、ユーザがタッチパネル７を操作することによって、タッチパネル７が入力を受け付けた信号により表示部６が表示する画像選択画面の中から静止画が選択されたか否かを判断する（ステップＳ３１５）。タッチパネル７が受け付けた信号によって表示部６が表示する画像選択画面の中から静止画が選択されていない場合（ステップＳ３１５：Ｎｏ）、表示装置１はステップＳ３０９に移行する。一方、タッチパネル７が受け付けた信号によって表示部６が表示する画像選択画面の中から静止画が選択された場合（ステップＳ３１５：Ｙｅｓ）、表示制御部９５は、タッチパネル７が受け付けた信号によって選択された静止画を表示部６に全画面表示させる（ステップＳ３１６）。
【００５９】
続いて、制御部９は、ユーザによって表示部６が現在表示している静止画を切換える切換操作が行われたか否かを判断する（ステップＳ３１７）。ユーザによって切換操作が行われた場合（ステップＳ３１７：Ｙｅｓ）、表示制御部９５は、現在表示している静止画を画像データ記憶部８１が記憶する次の静止画に切換えて表示部６に表示させ（ステップＳ３１８）、表示装置１はステップＳ３１６に戻る。一方、所定時間、たとえば３０秒経過したのちにユーザによって切換操作が行われていない場合（ステップＳ３１７：Ｎｏ）、表示装置１はステップＳ３０９に移行する。
【００６０】
以上説明した本実施の形態１によれば、表示制御部９５が移動検出部９４によって被写体の移動を検出した場合、被写体を表示部６の表示画面と直交する方向へ仮想的に飛び出させた３Ｄ画像の動画またはスルー画像を表示部６に表示させる。これにより、ユーザは、被写体が移動したときのみ迫力ある３Ｄ画像で動画を視認することができるので、表示部７で再生される動画またはスルー画像が単調になることを防止することができる。
【００６１】
さらに、本実施の形態１では、表示制御部９５が被写体を表示部６の表示画面と直交する方向へ仮想的に飛び出せて強調した表示を行っている。この結果、ユーザは、被写体と背景とのめりはりがある３Ｄ画像を視認することができる。
【００６２】
さらにまた、本実施の形態１では、被写体が移動を停止している場合、表示制御部９５が表示装置１の撮影モードの撮影中に表示するスルー画像を２Ｄ画像で表示させる。これにより、表示制御部９５は、第１撮像部２１または第２撮像部２２がそれぞれ生成する画像データのどちらか一方のみを表示部６に出力すればよいので、第１撮像部２１または第２撮像部２２のどちらか一方に出力する駆動電力を停止することができ、常に３Ｄ画像を表示する場合に比して、電力が消費することを格別に低減することができる。
【００６３】
また、上述した本実施の形態１では、撮像部２が互いの視野の左右方向の一端部同士が重なりを有する２つの画像データを生成していたが、たとえば、１つの撮像部のみを有する構成とし、この撮像部で連続的に撮影することにより、互いの視野の左右方向の一端部同士が重なりを有する２つの画像データを生成するようにしてもよい。具体的には、ユーザが表示装置１を左から右に向けて移動（スイング）させながら被写体を連続的に撮影することにより、互いの視野の左右方向の一端部同士が重なりを有する２つの画像データを生成するようにしてもよい。
【００６４】
また、上述した本実施の形態１では、撮像部２が互いの視野の左右方向の一端部同士が重なりを有する２つの画像データを生成していたが、たとえば、１つの撮像素子のみを有する構成とし、この１つの撮像素子の撮像領域内に２つの光学系によって集光させることにより、互いの視野の左右方向の一端部同士が重なりを有する２つの画像データを生成するようにしてもよい。さらに、この場合、２つの光学系は、表示装置１の装置本体部に対して着脱自在な構成にするようにしてもよい。
【００６５】
（実施の形態２）
つぎに、本実施の形態２について説明する。上述した実施の形態１では、撮像部が第１撮像部および第２撮像部を有し、第１撮像部および第２撮像部がそれぞれ生成した互いの視野の左右方向の一端部同士が重なりを有する２つの画像データを用いて３Ｄ画像を表示部に表示させていたが、本実施の形態２では、１つの撮像部で連続的に画像データを生成し、時系列に沿って隣接する２つの画像データを用いて３Ｄ画像を表示部に表示させる。なお、本実施の形態２の表示装置は、撮像部および表示制御部以外、上述した実施の形態１の表示装置と同様の構成を有する。このため、本実施の形態２では、撮像部および表示制御部を説明後、表示制御部による３Ｄ画像の表示方法について説明する。
【００６６】
図１３は、本実施の形態２にかかる表示装置の構成を示すブロック図である。なお、図１３において、上述した実施の形態１で説明した表示装置１と同じ構成を有する部位については同一の符号を付し、説明を省略する。
【００６７】
図１３に示すように、表示装置１００は、被写体を撮影し、撮影した被写体の電子的な画像データを生成する撮像部１０２と、表示部６に３Ｄ画像または２Ｄ画像を表示させる表示制御部１９５とを備える。
【００６８】
撮像部１０２は、上述した実施の形態１の第１撮像部２１と同一の構成によって実現され、レンズ部２１ａと、レンズ駆動部２１ｂと、絞り２１ｃと、絞り駆動部２１ｄと、シャッタ２１ｅと、シャッタ駆動部２１ｆと、撮像素子２１ｇと、信号処理部２１ｈとを有する。
【００６９】
表示制御部１９５は、３Ｄ画像または２Ｄ画像を表示部６に表示させる。具体的には、表示制御部１９５は、仮画像データ記憶部８３が記憶する時系列に沿って隣接する２つの画像データを、表示部６の表示画面における水平方向の１画素毎に交互に並べて表示部６に出力することによって３Ｄ画像を表示部６に表示させる。
【００７０】
以上の構成を有する表示装置１００において、表示制御部１９５が表示部６に３Ｄ画像を表示させる表示方法について説明する。図１４は、表示装置１００が動画撮影時に撮像部１０２が連続的に生成する複数の画像データそれぞれに対応する画像を時系列に沿って示した図である。図１４において、表示装置１００が被写体Ａ１を動画撮影した場合、撮像部１０２が連続的に生成する複数の画像データのうち、代表的な３枚の画像Ｗｎ〜Ｗｎ＋２（Ｎ＝整数）を示している。なお、各画像Ｗｎ〜Ｗｎ＋２は、それぞれが時系列に沿って隣接した画像である。
【００７１】
図１４に示すように、被写体Ａ１が画像の中央付近から左方向に移動した場合（図１４（ａ）〜図１４（ｃ））、被写体Ａ１と被写体Ａ２（背景）との位置関係が時系列に沿って変化する。すなわち、上述した実施の形態１で説明したように、画像Ｗｎと画像Ｗｎ＋１とを仮想的に重ねた場合、被写体Ａ２の領域が重なる。これに対して、被写体Ａ１の領域が重ならず、被写体Ａ１に対して視差を有する。さらに、被写体Ａ１と被写体Ａ２との距離が時系列に沿って大きくなる。そこで、図１５に示すように、表示制御部１９５は、被写体Ａ１が移動を開始する直前の画像Ｗｎ＋１（過去の画像）を右目画像とし、被写体Ａ１が移動後の画像Ｗｎ＋２（最新の画像）を左目画像とすることにより、被写体を表示部６の表示画面と直交する方向へ仮想的に飛び出させた３Ｄ画像を表示部６に表示させる。
【００７２】
このように、表示制御部１９５は、仮画像データ記憶部８３が記憶する時系列に沿って隣接した画像データを用いることにより３Ｄ画像を表示部６に表示させる。これにより、ユーザは、上述した実施の形態１と同様に、被写体Ａ１が表示部６の表示画面と直交する方向へ仮想的に飛び出した３Ｄ画像を視認することができる。なお、図１４では、被写体Ａ１が画像内で左方向に移動する場合に説明したが、被写体Ａ１が画像内で右方向に移動する場合、表示制御部１９５は、被写体Ａ１が移動を開始する直前の画像を左目画像とし、被写体Ａ１が移動後の画像を右目画像とすることにより、３Ｄ画像を表示部６に表示させる。また、被写体制御部１９５は、被写体Ａ１の移動速度に応じて、３Ｄ画像が表示部６の表示画面と直交する方向へ仮想的に飛び出す距離を調整するようにしてもよい。これにより、ユーザは、より臨場感ある３Ｄ画像を視認することができる。
【００７３】
つぎに、本実施の形態２にかかる表示装置１００が行う処理の概要について説明する。なお、本実施の形態２にかかる表示装置１００は、上述した実施の形態１にかかる表示装置１と同様の処理を行い、スルー画像切換処理のみ異なる。このため、以下においては、本実施の形態２にかかる表示装置１００が行うスルー画像切換処理のみ説明する。図１６は、本実施の形態２にかかる表示装置１００が行うスルー画像切換処理の概要を示すフローチャートである。
【００７４】
図１６に示すように、まず、制御部９は、タッチパネル７が受け付けた信号によって表示部６が表示するスルー画像中で動きを追尾する被写体が設定されているか否かを判断する（ステップＳ４０１）。タッチパネル７が受け付けた信号によって表示部６が表示するスルー画像中で動きを追尾する被写体が設定されている場合（ステップＳ４０１：Ｙｅｓ）、制御部９は、移動検出部９４がタッチパネル７の受け付けた信号によって設定された被写体の移動を検出したか否かを判断する（ステップＳ４０２）。移動検出部９４がタッチパネル７の受け付けた信号によって設定された被写体の移動を検出した場合（ステップＳ４０２：Ｙｅｓ）、表示装置１００は後述するステップＳ４０３に移行する。一方、移動検出部９４がタッチパネル７の受け付けた信号によって設定された被写体の移動を検出していない場合（ステップＳ４０２：Ｎｏ）、表示装置１００は後述するステップＳ４１１に移行する。
【００７５】
ステップＳ４０３において、制御部９は、撮像部１０２が一定の微小な時間間隔で連続的に生成した最新の画像データを仮画像データ記憶部８３に仮記憶させ（ステップＳ４０３）、制御部９は、撮像部１０２が撮影している画像データを取得する（ステップＳ４０４）。
【００７６】
続いて、制御部９は、最新の画像データと取得した画像データとを比較し（ステップＳ４０５）、画像内で被写体が左に移動したか否かを判断する（ステップＳ４０６）。具体的には、制御部９は、図１４に示したように、画像内で被写体が左に移動したか否かを判断する。画像内で被写体が左に移動した場合（ステップＳ４０６：Ｙｅｓ）、表示制御部１９５は、最新の画像データを右目画像とし、取得した画像データを左目画像にして３Ｄ画像のスルー画像を表示部６に表示させ（ステップＳ４０７）、表示装置１００は後述するステップＳ４０９に移行する。
【００７７】
これに対して、画像内で被写体が左に移動していない場合（ステップＳ４０６：Ｎｏ）、表示制御部１９５は、最新の画像データを左目画像とし、取得した画像データを右目画像として３Ｄ画像のスルー画像を表示部６に表示させ（ステップＳ４０８）、表示装置１００は後述するステップＳ４０９に移行する。
【００７８】
ステップＳ４０９において、制御部９は、ユーザによって表示部６が表示するスルー画像を３Ｄ画像から２Ｄ画像に切換える切換操作が行われたか否かを判断する（ステップＳ４０９）。具体的には、制御部９は、ユーザによって切換スイッチ４３が操作されて表示部６が表示するスルー画像の３Ｄ画像から２Ｄ画像への切換えを指示する切換信号が入力されたか否かを判断する。ユーザによって表示部６が表示するスルー画像を３Ｄ画像から２Ｄ画像に切換える切換操作が行われていない場合（ステップＳ４０９：Ｎｏ）、表示装置１００は図７に示したメインルーチンに戻る。一方、ユーザによって表示部６が表示するスルー画像を３Ｄ画像から２Ｄ画像に切換える切換操作が行われた場合（ステップＳ４０９：Ｙｅｓ）、表示制御部１９５は、撮像部２が一定の時間間隔で連続的に生成する画像データを用いて２Ｄ画像のスルー画像を表示部６に表示させ（ステップＳ４１０）、表示装置１００は図７に示したメインルーチンに戻る。
【００７９】
ステップＳ４０２において、移動検出部９４がタッチパネル７の受け付けた信号によって設定された被写体の移動を検出していない場合（ステップＳ４０２：Ｎｏ）について説明する。この場合、表示制御部１９５は、撮像部１０２が一定の微小な時間間隔で連続的に生成する画像データに対応する２Ｄ画像のスルー画像を表示部６に表示させ（ステップＳ４１１）、表示装置１００は図７に示したメインルーチンに戻る。
【００８０】
ステップＳ４０１において、タッチパネル７が受け付けた信号によって表示部６が表示するスルー画像中で動きを追尾する被写体が設定されていない場合（ステップＳ４０１：Ｎｏ）について説明する。この場合、表示制御部１９５は、撮像部１０２が一定の微小な時間間隔で連続的に生成する画像データに対応する２Ｄ画像のスルー画像を表示部６に表示させる（ステップＳ４１２）。
【００８１】
続いて、制御部９は、タッチパネル７が入力を受け付けた信号によって被写体設定部９３が被写体を設定したか否かを判断する（ステップＳ４１３）。タッチパネル７が入力を受け付けた信号によって被写体設定部９３が被写体を設定していない場合（ステップＳ４１３：Ｎｏ）、表示装置１００は図７に示したメインルーチンに戻る。一方、タッチパネル７が入力を受け付けた信号によって被写体設定部９３が被写体を設定した場合（ステップＳ４１３：Ｙｅｓ）、被写体設定部９３が設定した被写体の特徴を特徴情報記憶部８４に記憶させ（ステップＳ４１４）、表示装置１は図７に示したメインルーチンに戻る。
【００８２】
以上説明した本実施の形態２によれば、表示制御部１９５が移動検出部９４によって被写体の移動を検出した場合、仮画像データ記憶部８３が記憶する時系列に沿って隣接した２つの画像データを用いることにより、被写体を表示部６の表示画面と直交する方向へ仮想的に飛び出させた３Ｄ画像の動画またはスルー画像を表示部６に表示させる。これにより、上述した実施の形態１と同様に、ユーザは、被写体が移動したときのみ３Ｄ画像で動画を視認することができるので、再生される動画が単調になることを防止することができる。
【００８３】
さらに、本実施の形態２では、表示制御部１９５が１つの撮像部１０２のみで連続的に生成された画像データを用いることにより、３Ｄ画像を表示部６に表示させているので、２つの撮像部を有する表示装置に比して、簡易な構成で表示装置を構成することができる。
【００８４】
（その他の実施の形態）
また、上述した実施の形態１では、表示制御部９５がユーザによって設定された被写体が画像中に存在し、この被写体が移動した場合に表示部６に３Ｄ画像を表示していたが、ユーザによって設定された被写体が撮像部２の視野領域に入ってきた（写った）場合、表示制御部９５が２Ｄ画像から３Ｄ画像に切換えて３Ｄ画像の動画またはスルー画像を表示部６に表示させることもできる。これにより、被写体が撮像部２の視野領域に入ってきた場合に表示制御部９５が被写体を表示部６の表示画面と直交する方向へ仮想的に飛び出せた３Ｄ画像で表示部６に表示させるので、鑑賞者の注意を引くことが可能となる。このような形態を応用すれば、たとえば監視カメラなどで、特定の被写体や対象物が侵入した際に３Ｄ画像で飛び出して表示されるので、ユーザはより詳細な被写体の特徴やデータを得ることができ、３Ｄ画像に含まれる情報量をより活用することも可能となる。また、本実施の形態を上述した実施の形態２でも適用することもできる。
【００８５】
また、上述した実施の形態１では、では、表示制御部９５がユーザによって設定された被写体が画像中に存在し、この被写体が移動した場合に表示部６に３Ｄ画像を表示していたが、たとえば、ゲーム器や遊戯機器等の表示モニタが表示する画像内で登場するキャラクターや人物が移動した場合に画像を２Ｄ画像から３Ｄ画像に切換えて表示させてもよい。これにより、ゲーム機で登場するキャラクターの状態、たとえば戦闘状態に対応させて３Ｄ画像を表示することができるので、ユーザはゲーム機を操作しながらより臨場感ある体感を得ることができる。また、本実施の形態を上述した実施の形態２でも適用することもできる。
【００８６】
また、上述した実施の形態１，２では、姿勢検出部３は、表示装置１の姿勢状態を検出していたが、たとえば、ユーザが表示部６の表示画面をタップした際に生じる加速度を検出することにより、表示装置１の各種撮影モードまたは各種設定を切換えるタップ操作の操作信号を受け付け、この操作信号を制御部９に出力するようにしてもよい。
【００８７】
また、上述した実施の形態１，２では、表示部６は、パララックバリア方式であったが、ユーザが３Ｄ画像を立体視することができればよく、たとえばレンティキュラ方式であってもよい。
【００８８】
また、上述した実施の形態１，２では、表示装置１，１００をデジタルスチイルカメラとして説明していたが、たとえばデジタルビデオカメラ、カメラ付き携帯電話等の撮影機能および表示機能を備えた各種電子機器、またはデジタルフォトフレームや電子ビューア等の表示機能を備えた各種電子機器に適用することができる。
【符号の説明】
【００８９】
１，１００        表示装置
２，１０２        撮像部
３                姿勢検出部
４                操作入力部
５                時計
６                表示部
７                タッチパネル
８                記憶部
９                制御部
２１              第１撮像部
２１ａ，２２ａ    レンズ部
２１ｂ，２２ｂ    レンズ駆動部
２１ｃ，２２ｃ    絞り
２１ｄ，２２ｄ    絞り駆動部
２１ｅ，２２ｅ    シャッタ
２１ｆ，２２ｆ    シャッタ駆動部
２１ｇ，２２ｇ    撮像素子
２１ｈ，２２ｈ    信号処理部
２２              第２撮像部
４１              電源スイッチ
４２              レリーズスイッチ
４３              切換スイッチ
４４              ズームスイッチ
６１              バックライト
６２              表示パネル
６３              視差バリア
８１              画像データ記憶部
８２              プログラム記憶部
８３              仮画像データ記憶部
８４              特徴情報記憶部
９１              画像処理部
９２              立体画像生成部
９３              被写体設定部
９４              移動検出部
９５，１９５      表示制御部
Ｌ１，Ｌ２        光軸
Ｏ１              右目
Ｏ２              左目
【図１】
0005530322.tif 000002
【図２】
0005530322.tif 000003
【図３】
0005530322.tif 000004
【図４】
0005530322.tif 000005
【図５】
0005530322.tif 000006
【図６】
0005530322.tif 000007
【図７】
0005530322.tif 000008
【図８】
0005530322.tif 000009
【図９】
0005530322.tif 000010
【図１０】
0005530322.tif 000011
【図１１】
0005530322.tif 000012
【図１２】
0005530322.tif 000013
【図１３】
0005530322.tif 000014
【図１４】
0005530322.tif 000015
【図１５】
0005530322.tif 000016
【図１６】
0005530322.tif 000017